(57)【要約】【課題】分析の途中で目的成分の濃度を算出することができる濃度算出装置、濃度算出方法及び濃度算出プログラムを提供する。【解決手段】目的成分と基準成分との質量比を目的成分ごとに質量比記憶部１２２に記憶する。同定処理部１１２により同定された基準成分について、検出器５で検出される強度と時間との関係を示すグラフにおける面積値を面積値算出処理部１１３により算出する。同定処理部１１２により同定された目的成分に対応付けて質量比記憶部１２２に記憶されている質量比、及び、面積値算出処理部１１３により算出された面積値に基づいて、濃度算出処理部１１４により当該目的成分の濃度を算出する。目的成分と基準成分との質量比を用いることにより、分析の途中であっても、目的成分及び基準成分が同定された時点で目的成分の濃度を算出することができる。【選択図】  図２
2014163882.tif 000002
【特許請求の範囲】
【請求項１】
検出器で検出された試料に含まれる目的成分及び基準成分の強度と時間との関係を示すグラフに基づいて、試料中の目的成分の濃度を算出する濃度算出装置であって、
目的成分と基準成分との質量比を目的成分ごとに記憶する質量比記憶部と、
前記検出器により検出される目的成分及び基準成分を同定するための同定処理部と、
前記同定処理部により同定された基準成分の前記グラフにおける面積値を算出する面積値算出処理部と、
前記同定処理部により同定された目的成分に対応付けて前記質量比記憶部に記憶されている質量比、及び、前記面積値算出処理部により算出された面積値に基づいて、当該目的成分の濃度を算出する濃度算出処理部とを備えたことを特徴とする濃度算出装置。
【請求項２】
目的成分と基準成分との質量比に対する補正係数を目的成分ごとに記憶する補正係数記憶部をさらに備え、
前記濃度算出処理部は、前記同定処理部により同定された目的成分に対応付けて前記質量比記憶部に記憶されている質量比、当該目的成分に対応付けて前記補正係数記憶部に記憶されている補正係数、及び、前記面積値算出処理部により算出された面積値に基づいて、当該目的成分の濃度を算出することを特徴とする請求項１に記載の濃度算出装置。
【請求項３】
目的成分及び基準成分の分子構成の入力を受け付ける入力受付処理部と、
前記入力受付処理部により入力を受け付けた目的成分及び基準成分の分子構成に基づいて、当該目的成分と基準成分との質量比を算出する質量比算出処理部とをさらに備え、
前記質量比記憶部には、前記質量比算出処理部により算出された質量比が記憶されることを特徴とする請求項１又は２に記載の濃度算出装置。
【請求項４】
検出器で検出された試料に含まれる目的成分及び基準成分の強度と時間との関係を示すグラフに基づいて、試料中の目的成分の濃度を算出する濃度算出方法であって、
前記検出器により検出される目的成分及び基準成分を同定するための同定処理ステップと、
前記同定処理ステップにより同定された基準成分の前記グラフにおける面積値を算出する面積値算出処理ステップと、
前記同定処理ステップにより同定された目的成分に対応付けられている当該目的成分と基準成分との質量比、及び、前記面積値算出処理ステップにより算出された面積値に基づいて、当該目的成分の濃度を算出する濃度算出処理ステップとを含むことを特徴とする濃度算出方法。
【請求項５】
検出器で検出された試料に含まれる目的成分及び基準成分の強度と時間との関係を示すグラフに基づいて、試料中の目的成分の濃度を算出する濃度算出プログラムであって、
前記検出器により検出される目的成分及び基準成分を同定するための同定処理ステップと、
前記同定処理ステップにより同定された基準成分の前記グラフにおける面積値を算出する面積値算出処理ステップと、
前記同定処理ステップにより同定された目的成分に対応付けられている当該目的成分と基準成分との質量比、及び、前記面積値算出処理ステップにより算出された面積値に基づいて、当該目的成分の濃度を算出する濃度算出処理ステップとをコンピュータに実行させることを特徴とする濃度算出プログラム。
【発明の詳細な説明】
【技術分野】
【０００１】
本発明は、検出器で検出された試料に含まれる目的成分及び基準成分の強度と時間との関係を示すグラフに基づいて、試料中の目的成分の濃度を算出する濃度算出装置、濃度算出方法及び濃度算出プログラムに関するものである。
【背景技術】
【０００２】
分析装置の一例であるガスクロマトグラフや液体クロマトグラフなどにおいては、カラムを通過する過程で分離された試料中の各成分を検出器で検出することにより、検出される強度と時間との関係を示すグラフ（クロマトグラム）が得られる。試料中には、分析の対象となる目的成分の他、例えば目的成分の濃度を算出する際の基準となる基準成分が含まれている。
【０００３】
試料に含まれる目的成分の濃度は、上記のようにして得られたグラフにおける目的成分の面積値に基づいて算出することができる（例えば、下記特許文献１参照）。具体的には、分析により得られたグラフ全体の面積値に対する目的成分の面積値の比率に基づいて、目的成分の濃度が算出される。
【０００４】
この種の分析装置においては、使用に伴うカラムの劣化などに起因して、検出器で検出される各成分の強度が変化する。そのため、分析により得られたグラフ全体の面積値に対する目的成分の面積値の比率を基準とすることにより、目的成分の濃度をより正確に算出することができる。
【先行技術文献】
【特許文献】
【０００５】
【特許文献１】特開２０００−６５７９７号公報
【発明の概要】
【発明が解決しようとする課題】
【０００６】
例えば、分析が長時間にわたって行われるような場合や、特定の目的成分のみの濃度を確認したい場合などには、分析の途中で、その時点までに検出された目的成分の濃度を算出できるような構成が望まれる場合がある。このような場合、算出される目的成分の濃度が必ずしも精度の高い値である必要はなく、ある程度正確な濃度値さえ得られれば、その濃度値を用いて次の作業を行うことができるような場合も考えられる。
【０００７】
しかしながら、上記のように、分析により得られたグラフ全体の面積値に対する目的成分の面積値の比率を基準として、目的成分の濃度を算出するような構成の場合には、得られる濃度値の精度は高いものの、分析が終了するまでグラフ全体の面積値を得ることができない。そのため、分析が終了するまで目的成分の濃度を算出することができないという問題がある。このような問題は、ガスクロマトグラフや液体クロマトグラフなどに限らず、他の各種分析装置において同様に生じる問題である。
【０００８】
本発明は、上記実情に鑑みてなされたものであり、分析の途中で目的成分の濃度を算出することができる濃度算出装置、濃度算出方法及び濃度算出プログラムを提供することを目的とする。
【課題を解決するための手段】
【０００９】
本願発明者は、目的成分と基準成分との質量比を感度比として用いることにより、目的成分の濃度を算出することができることを見出した。すなわち、目的成分の面積値と基準成分の面積値との比率で表される感度比を、目的成分と基準成分との質量比で近似することができ、当該質量比を用いて目的成分の濃度を算出することにより、ある程度正確な濃度値を得ることができることが分かった。
【００１０】
本発明に係る濃度算出装置は、検出器で検出された試料に含まれる目的成分及び基準成分の強度と時間との関係を示すグラフに基づいて、試料中の目的成分の濃度を算出する濃度算出装置であって、目的成分と基準成分との質量比を目的成分ごとに記憶する質量比記憶部と、前記検出器により検出される目的成分及び基準成分を同定するための同定処理部と、前記同定処理部により同定された基準成分の前記グラフにおける面積値を算出する面積値算出処理部と、前記同定処理部により同定された目的成分に対応付けて前記質量比記憶部に記憶されている質量比、及び、前記面積値算出処理部により算出された面積値に基づいて、当該目的成分の濃度を算出する濃度算出処理部とを備えたことを特徴とする。
【００１１】
このような構成によれば、目的成分と基準成分との質量比を用いることにより、分析の途中で目的成分の濃度を算出することができる。すなわち、同定された目的成分に対応する質量比、及び、同定された基準成分の面積値に基づいて、目的成分の濃度を算出することができるため、分析の途中であっても、目的成分及び基準成分が同定された時点で目的成分の濃度を算出することができる。
【００１２】
この場合、前記濃度算出処理部は、前記同定処理部により同定された目的成分に対応付けて前記質量比記憶部に記憶されている質量比と、前記面積値算出処理部により算出された面積値とを乗算することにより、当該目的成分の濃度を算出するものであってもよい。
【００１３】
前記濃度算出装置は、目的成分と基準成分との質量比に対する補正係数を目的成分ごとに記憶する補正係数記憶部をさらに備えていてもよい。この場合、前記濃度算出処理部は、前記同定処理部により同定された目的成分に対応付けて前記質量比記憶部に記憶されている質量比、当該目的成分に対応付けて前記補正係数記憶部に記憶されている補正係数、及び、前記面積値算出処理部により算出された面積値に基づいて、当該目的成分の濃度を算出するものであってもよい。
【００１４】
このような構成によれば、目的成分と基準成分との質量比に対する補正係数を用いて、目的成分の濃度をより正確に算出することができる。これにより、分析の途中であっても、目的成分のより正確な濃度値を得ることができるため、その濃度値を用いて次の作業を良好に行うことができる。
【００１５】
この場合、前記濃度算出処理部は、前記同定処理部により同定された目的成分に対応付けて前記質量比記憶部に記憶されている質量比と、当該目的成分に対応付けて前記補正係数記憶部に記憶されている補正係数と、前記面積値算出処理部により算出された面積値とを乗算することにより、当該目的成分の濃度を算出するものであってもよい。
【００１６】
前記濃度算出装置は、目的成分及び基準成分の分子構成の入力を受け付ける入力受付処理部と、前記入力受付処理部により入力を受け付けた目的成分及び基準成分の分子構成に基づいて、当該目的成分と基準成分との質量比を算出する質量比算出処理部とをさらに備えていてもよい。この場合、前記質量比記憶部には、前記質量比算出処理部により算出された質量比が記憶されてもよい。
【００１７】
このような構成によれば、目的成分及び基準成分の分子構成を入力するだけで、その分子構成に基づいて、当該目的成分と基準成分との質量比が自動的に算出され、算出された質量比を用いて目的成分の濃度を算出することが可能になる。したがって、簡単かつ正確に質量比を設定し、目的成分の濃度を算出することができる。
【００１８】
本発明に係る濃度算出方法は、検出器で検出された試料に含まれる目的成分及び基準成分の強度と時間との関係を示すグラフに基づいて、試料中の目的成分の濃度を算出する濃度算出方法であって、前記検出器により検出される目的成分及び基準成分を同定するための同定処理ステップと、前記同定処理ステップにより同定された基準成分の前記グラフにおける面積値を算出する面積値算出処理ステップと、前記同定処理ステップにより同定された目的成分に対応付けられている当該目的成分と基準成分との質量比、及び、前記面積値算出処理ステップにより算出された面積値に基づいて、当該目的成分の濃度を算出する濃度算出処理ステップとを含むことを特徴とする。
【００１９】
本発明に係る濃度算出プログラムは、検出器で検出された試料に含まれる目的成分及び基準成分の強度と時間との関係を示すグラフに基づいて、試料中の目的成分の濃度を算出する濃度算出プログラムであって、前記検出器により検出される目的成分及び基準成分を同定するための同定処理ステップと、前記同定処理ステップにより同定された基準成分の前記グラフにおける面積値を算出する面積値算出処理ステップと、前記同定処理ステップにより同定された目的成分に対応付けられている当該目的成分と基準成分との質量比、及び、前記面積値算出処理ステップにより算出された面積値に基づいて、当該目的成分の濃度を算出する濃度算出処理ステップとをコンピュータに実行させることを特徴とする。
【発明の効果】
【００２０】
本発明によれば、目的成分と基準成分との質量比を用いることにより、分析の途中であっても、目的成分及び基準成分が同定された時点で目的成分の濃度を算出することができる。
【図面の簡単な説明】
【００２１】
【図１】本発明の一実施形態に係る濃度算出装置が適用された分析装置の構成例を示す概略図である。
【図２】濃度算出装置の構成例を示すブロック図である。
【図３】データ処理部による処理の一例を示すフローチャートである。
【図４Ａ】目的成分の濃度を算出する際の態様について説明するためのクロマトグラムの一例を示す概略図である。
【図４Ｂ】目的成分の濃度を算出する際の態様について説明するためのクロマトグラムの一例を示す概略図である。
【発明を実施するための形態】
【００２２】
図１は、本発明の一実施形態に係る濃度算出装置１が適用された分析装置の構成例を示す概略図である。この分析装置は、例えばガスクロマトグラフや液体クロマトグラフなどからなり、試料導入部２からカラム３内に試料が導入されることにより、試料がカラム３を通過する過程で試料中の各成分が分離される。カラム３は、例えばカラムオーブン４内で加熱されるようになっている。
【００２３】
カラム３において分離された試料中の各成分は、検出器５により検出される。検出器５には、濃度算出装置１が電気的に接続されており、分析中は、検出器５における検出信号が濃度算出装置１に対して連続的に入力されるようになっている。これにより、濃度算出装置１は、検出器５から入力される検出信号に基づいて測定データを取得し、当該測定データに基づいて試料中の目的成分の濃度を算出することができる。
【００２４】
濃度算出装置１には、データ処理部１１、記憶部１２、操作部１３及び表示部１４などが備えられている。濃度算出装置１は、例えば分析装置とは分離して設けられたコンピュータなどにより構成されていてもよいし、分析装置に組み込まれた構成となっていてもよい。
【００２５】
データ処理部１１は、例えばＣＰＵ（Central Processing Unit）を含む構成であり、当該ＣＰＵがプログラムを実行することにより、データ処理部１１が各種機能部として機能するようになっている。記憶部１２は、例えばハードディスク又はＲＡＭ（Random Access Memory）などにより構成することができる。
【００２６】
操作部１３は、例えばキーボード又はマウスを含む構成であり、作業者が操作部１３を操作することにより入力作業を行うことができるようになっている。表示部１４は、例えば液晶表示器などにより構成することができ、データ処理部１１による処理の結果などを表示部１４に表示させることができるようになっている。
【００２７】
図２は、濃度算出装置１の構成例を示すブロック図である。本実施形態では、分析の対象となる目的成分と、当該目的成分の濃度を算出する際の基準となる基準成分とが含まれる試料を用いて、分析装置による分析が行われるようになっている。
【００２８】
濃度算出装置１は、検出器５で検出された試料に含まれる目的成分及び基準成分の強度（信号強度）と時間との関係を示すグラフ（クロマトグラム）に基づいて、試料中の目的成分の濃度を算出するものである。試料に含まれる目的成分及び基準成分としては、任意の成分を用いることができるが、例えば石油系成分が試料に含まれる場合などに、目的成分の濃度を好適に算出することができる。試料に含まれる目的成分及び基準成分は、それぞれ１種類であってもよいし、複数種類であってもよい。
【００２９】
データ処理部１１は、例えば測定処理部１１１、同定処理部１１２、面積値算出処理部１１３、濃度算出処理部１１４、入力受付処理部１１５及び質量比算出処理部１１６などとして機能するようになっている。また、記憶部１２には、測定データ記憶部１２１、質量比記憶部１２２及び補正係数記憶部１２３などが割り当てられている。
【００３０】
測定処理部１１１は、検出器５から入力される検出信号に基づいて、信号強度の経時的変化を測定し、その測定データを測定データ記憶部１２１に記憶させるための処理を行う。測定データ記憶部１２１に記憶された測定データは、例えば分析中又は分析後にクロマトグラムとして表示部１４に表示させることができる。
【００３１】
同定処理部１１２は、検出器５により検出される目的成分及び基準成分を同定するための処理を行う。具体的には、検出器５からの検出信号に基づいて目的成分及び基準成分のピークが検出され、各ピークに対応するリテンションタイムに基づいて、各成分を同定することができる。
【００３２】
面積値算出処理部１１３は、同定処理部１１２により同定された基準成分について、クロマトグラムにおける面積値を算出するための処理を行う。例えば縦軸を強度、横軸を時間とするクロマトグラムにおいては、基準成分のピークと横軸との間の面積が求められる。
【００３３】
濃度算出処理部１１４は、目的成分の濃度を算出するための処理を行う。本実施形態では、質量比記憶部１２２に記憶されている質量比、補正係数記憶部１２３に記憶されている補正係数、及び、面積値算出処理部１１３により算出された面積値に基づいて、目的成分の濃度が算出されるようになっている。
【００３４】
ここで、質量比記憶部１２２には、目的成分と基準成分との質量比が目的成分ごとに記憶されている。質量比としては、目的成分の分子量と基準成分の分子量との比を用いることができる。例えば、目的成分がメタン（ＣＨ４）、基準成分がエチレン（Ｃ２Ｈ４）である場合には、目的成分の分子量が「１６」、基準成分の分子量が「２８」となるため、質量比は「１６／２８」として計算することができる。質量比は、例えば操作部１３を操作することにより設定できるようになっている。この例では、各目的成分の識別情報（目的成分ＩＤ）に対応付けて、各目的成分に対応する質量比が質量比記憶部１２２に記憶されている。
【００３５】
また、補正係数記憶部１２３には、目的成分と基準成分との質量比に対する補正係数が目的成分ごとに記憶されている。この補正係数は、作業者が過去の経験などに基づいて任意の値に設定可能であり、例えば操作部１３を操作することにより設定できるようになっている。この例では、各目的成分の識別情報（目的成分ＩＤ）に対応付けて、各目的成分に対応する補正係数が補正係数記憶部１２３に記憶されている。
【００３６】
操作部１３を操作して質量比又は補正係数を設定する際には、質量比又は補正係数を入力するための入力画面が表示部１４に表示されるようになっていてもよい。この場合、各目的成分の識別情報（目的成分ＩＤ）に対応付けて、質量比及び補正係数の少なくとも一方を入力可能な入力画面（例えば、一覧表など）が表示部１４に表示されるような構成であってもよい。
【００３７】
濃度算出処理部１１４では、同定処理部１１２により同定された目的成分に対応付けて質量比記憶部１２２に記憶されている質量比Ｒ、当該目的成分に対応付けて補正係数記憶部１２３に記憶されている補正係数Ｆ、及び、面積値算出処理部１１３により算出された面積値Ｓに基づいて、当該目的成分の濃度が算出される。具体的には、同定された目的成分に対応する質量比Ｒ、補正係数Ｆ及び面積値Ｓを乗算し、得られた値（Ｒ×Ｆ×Ｓ）に基づいて当該目的成分の濃度値を算出することができる。
【００３８】
濃度算出処理部１１４により目的成分の濃度を算出する際には、例えば検量線を用いることができる。検量線は、例えば既知の濃度である基準成分と、当該基準成分のクロマトグラムにおける面積値とに基づいて作成することができる。この場合、上記のようにして得られた値（Ｒ×Ｆ×Ｓ）に、検量線の勾配を乗算することにより、目的成分の濃度を算出するような構成であってもよい。
【００３９】
入力受付処理部１１５は、目的成分及び基準成分の分子構成の入力を受け付ける。すなわち、操作部１３を用いて目的成分及び基準成分の分子構成が入力された場合に、その入力信号に対する処理が入力受付処理部１１５により行われるようになっている。表示部１４には、目的成分及び基準成分の分子構成を入力するための入力画面が表示されるようになっていてもよい。
【００４０】
質量比算出処理部１１６は、入力受付処理部１１５により入力を受け付けた目的成分及び基準成分の分子構成に基づいて、当該目的成分と基準成分との質量比Ｒを算出するための処理を行う。この質量比算出処理部１１６により算出された質量比Ｒは、目的成分ごとに質量比記憶部１２２に記憶され、濃度算出処理部１１４により目的成分の濃度を算出する際に用いることができる。
【００４１】
例えば、目的成分がメタンである場合には、目的成分の分子構成として「ＣＨ４」が操作部１３を用いて入力されることにより、その分子構成に基づいて目的成分の分子量「１６」が算出される。また、基準成分がエチレンである場合には、基準成分の分子構成として「Ｃ２Ｈ４」が操作部１３を用いて入力されることにより、その分子構成に基づいて目的成分の分子量「２８」が算出される。そして、これらの分子量の比を「１６／２８」として計算することにより、当該目的成分と基準成分との質量比Ｒを算出することができる。
【００４２】
このように、本実施形態では、目的成分及び基準成分の分子構成を入力するだけで、その分子構成に基づいて、当該目的成分と基準成分との質量比Ｒが自動的に算出され、算出された質量比Ｒを用いて目的成分の濃度を算出することが可能になる。したがって、簡単かつ正確に質量比Ｒを設定し、目的成分の濃度を算出することができる。
【００４３】
本実施形態では、質量比記憶部１２２及び補正係数記憶部１２３が、それぞれ記憶部１２の異なる記憶領域に割り当てられているが、このような構成に限らず、例えば各目的成分の識別情報（目的成分ＩＤ）に対応付けて、質量比Ｒ及び補正係数Ｆが共通の記憶領域に記憶されるような構成であってもよい。
【００４４】
また、補正係数記憶部１２３が省略された構成であってもよい。この場合、濃度算出処理部１１４では、同定処理部１１２により同定された目的成分に対応付けて質量比記憶部１２２に記憶されている質量比Ｒ、及び、面積値算出処理部１１３により算出された面積値Ｓに基づいて、当該目的成分の濃度が算出されるようになっていてもよい。具体的には、同定された目的成分に対応する質量比Ｒ及び面積値Ｓを乗算し、得られた値（Ｒ×Ｓ）に基づいて当該目的成分の濃度値を算出するような構成であってもよい。
【００４５】
図３は、データ処理部１１による処理の一例を示すフローチャートである。また、図４は、図４Ａ及び図４Ｂは、目的成分の濃度を算出する際の態様について説明するためのクロマトグラムの一例を示す概略図である。
【００４６】
分析中は、同定処理部１１２により、目的成分及び基準成分を同定するための処理が行われる（ステップＳ１０１、Ｓ１０２：同定処理ステップ）。そして、目的成分が同定された場合には（ステップＳ１０１でＹｅｓ）、既に基準成分が同定されているか否かが判定され（ステップＳ１０３）、まだ基準成分が同定されていなければ（ステップＳ１０３でＮｏ）、ステップＳ１０１及びＳ１０２の処理が再度行われる。
【００４７】
一方、基準成分が同定された場合には（ステップＳ１０２でＹｅｓ）、当該基準成分の面積値Ｓが面積値算出処理部１１３により算出される（ステップＳ１０４：面積値算出処理ステップ）。その後、既に目的成分が同定されているか否かが判定され（ステップＳ１０５）、まだ目的成分が同定されていなければ（ステップＳ１０５でＮｏ）、ステップＳ１０１及びＳ１０２の処理が再度行われる。
【００４８】
図４Ａに示す例のように、目的成分Ｐ１、Ｐ２、Ｐ３がそれぞれ同定されたときに（ステップＳ１０１でＹｅｓ）、まだ基準成分Ｐ４が同定されていなければ（ステップＳ１０３でＮｏ）、ステップＳ１０１及びＳ１０２の処理が再度行われる。その後、基準成分Ｐ４が同定された場合には（ステップＳ１０２でＹｅｓ）、当該基準成分Ｐ４の面積値Ｓが面積値算出処理部１１３により算出される（ステップＳ１０４）。
【００４９】
面積値Ｓを算出する際には、例えば図４Ａにハッチングで示すように、基準成分Ｐ４のピークが現れる直前の時間からピークが現れた直後の時間までの間において、基準成分Ｐ４のピークと横軸との間の面積が求められる。面積値算出処理部１１３により算出される面積値は、上記のようにして求められた面積の値であってもよいし、当該面積から算出される値であってもよい。
【００５０】
基準成分Ｐ４が同定された時点Ｔ１では、既に目的成分Ｐ１、Ｐ２、Ｐ３が同定されているため（ステップＳ１０５でＹｅｓ）、濃度算出処理部１１４により各目的成分Ｐ１、Ｐ２、Ｐ３の濃度が算出される（ステップＳ１０６：濃度算出処理ステップ）。具体的には、既に同定されている各目的成分Ｐ１、Ｐ２、Ｐ３に対応付けて質量比記憶部１２２に記憶されている質量比Ｒ、各目的成分Ｐ１、Ｐ２、Ｐ３に対応付けて補正係数記憶部１２３に記憶されている補正係数Ｆ、及び、面積値算出処理部１１３により算出された基準成分Ｐ４の面積値Ｓに基づいて、各目的成分Ｐ１、Ｐ２、Ｐ３の濃度が算出される。
【００５１】
図４Ｂに示す例のように、基準成分Ｐ４が同定された後、目的成分Ｐ５、Ｐ６、Ｐ７が同定された場合には（ステップＳ１０１でＹｅｓ）、既に基準成分Ｐ４が同定されているため（ステップＳ１０３でＹｅｓ）、それぞれの目的成分Ｐ５、Ｐ６、Ｐ７の同定時Ｔ２、Ｔ３、Ｔ４に、濃度算出処理部１１４により各目的成分Ｐ５、Ｐ６、Ｐ７の濃度が算出される（ステップＳ１０６：濃度算出処理ステップ）。
【００５２】
すなわち、基準成分Ｐ４が同定された際に、図４Ｂにハッチングで示す当該基準成分Ｐ４の面積値Ｓが、面積値算出処理部１１３により既に算出されているため、当該面積値Ｓを用いて各目的成分Ｐ５、Ｐ６、Ｐ７の濃度を算出することができる。具体的には、各目的成分Ｐ５、Ｐ６、Ｐ７に対応付けて質量比記憶部１２２に記憶されている質量比Ｒ、各目的成分Ｐ５、Ｐ６、Ｐ７に対応付けて補正係数記憶部１２３に記憶されている補正係数Ｆ、及び、面積値算出処理部１１３により算出された基準成分Ｐ４の面積値Ｓに基づいて、各目的成分Ｐ５、Ｐ６、Ｐ７の濃度が算出される。
【００５３】
このように、基準成分Ｐ４よりも先に同定された目的成分Ｐ１、Ｐ２、Ｐ３については、基準成分Ｐ４が同定された時点Ｔ１で、当該基準成分Ｐ４の面積値Ｓに基づいて各目的成分Ｐ１、Ｐ２、Ｐ３の濃度を算出することができる。一方、基準成分Ｐ４よりも後に同定された目的成分Ｐ５、Ｐ６、Ｐ７については、各目的成分Ｐ５、Ｐ６、Ｐ７が同定された時点Ｔ２、Ｔ３、Ｔ４で、それらの濃度を基準成分Ｐ４の面積値Ｓに基づいて順次に算出することができる。
【００５４】
本実施形態では、目的成分と基準成分との質量比Ｒを用いることにより、分析の途中で目的成分の濃度を算出することができる。例えば、図４Ａの例では、基準成分Ｐ４が同定された時点Ｔ１で目的成分Ｐ１、Ｐ２、Ｐ３の濃度を算出することができ、図４Ｂの例では、各目的成分Ｐ５、Ｐ６、Ｐ７が同定された時点Ｔ２、Ｔ３、Ｔ４で、それらの濃度を算出することができる。
【００５５】
すなわち、本実施形態では、同定された目的成分に対応する質量比Ｒ、及び、同定された基準成分の面積値Ｓに基づいて、目的成分の濃度を算出することができるため、分析の途中であっても、目的成分及び基準成分が同定された時点Ｔ１、Ｔ２、Ｔ３、Ｔ４で目的成分の濃度を算出することができる。
【００５６】
特に、本実施形態では、目的成分と基準成分との質量比Ｒに対する補正係数Ｆを用いて、目的成分の濃度をより正確に算出することができる。これにより、分析の途中であっても、目的成分のより正確な濃度値を得ることができるため、その濃度値を用いて次の作業を良好に行うことができる。
【００５７】
以上の実施形態では、分析装置の一例として、例えばガスクロマトグラフや液体クロマトグラフなどについて説明したが、本発明に係る濃度算出装置は、他の各種分析装置に適用可能である。特に、本発明に係る濃度算出装置は、自動分析や連続分析などを行う分析装置の他、ゲル浸透クロマトグラフィー（Gel Permeation Chromatography：ＧＰＣ）を行う分析装置などに好適に用いることができる。
【００５８】
また、上述のような濃度算出装置としてコンピュータを機能させるためのプログラム（濃度算出プログラム）を提供することも可能である。この場合、上記プログラムは、記憶媒体に記憶された状態で提供されるような構成であってもよいし、プログラム自体が提供されるような構成であってもよい。
【符号の説明】
【００５９】
１    濃度算出装置
２    試料導入部
３    カラム
４    カラムオーブン
５    検出器
１１    データ処理部
１２    記憶部
１３    操作部
１４    表示部
１１１    測定処理部
１１２    同定処理部
１１３    面積値算出処理部
１１４    濃度算出処理部
１１５    入力受付処理部
１１６    質量比算出処理部
１２１    測定データ記憶部
１２２    質量比記憶部
１２３    補正係数記憶部
【図１】
2014163882.tif 000003
【図２】
2014163882.tif 000004
【図３】
2014163882.tif 000005
【図４Ａ】
2014163882.tif 000006
【図４Ｂ】
2014163882.tif 000007